Podtech/llm-jp-corpus-v4-ja_patent huggingface dataset:
(57)【要約】【課題】テニスボールの打球時の衝撃の負担を軽減する。ラケット面に加わる衝撃力を瞬時にかつ均等にラケット面全体へ拡散し吸収する性能強化を図って、グリップを握る手や腕に生じる回転振れや振動の抑制、またラケット面の張り目のズレや隙き間の発生を防止する性能を高めるために、ストリングスを交差する接点で絡み合わせて網目をつくる張り方を提供する。【解決手段】本発明仕様の交差するストリングスを交互に絡み合わせて張ったもの２は、打球の衝撃が強く加わる打点中心部からラケットフレーム全体へ瞬時にかつ均等に衝撃の振動を拡散して吸収する。この衝撃力の拡散吸収性能の強化によって、グリップを握る手や腕に生じる回転振れや振動を抑制できる。またラケット面の張り目のズレや隙き間の発生を防止する。【選択図】  図１
2004283520.tif 000002
【特許請求の範囲】
【請求項１】
ラケット面の中心軸に対して、水平垂直方向に交差するストリングスを互いに重なり合う交点で折り曲げて、互いに絡み合うように編んで網目をつくるストリングスの張り方。
【請求項２】
ラケット面の中心軸に対して、左右対称の菱形状に交差するストリングスを互いに重なり合う交点で折り曲げて、互いに絡み合うように編んで網目をつくるストリングスの張り方。
【発明の詳細な説明】
【０００１】
【発明の属する技術分野】
本発明は、テニスラケットに加わる打球のインパクト時に衝撃力が手や腕に及ぼす振動や衝撃の負担を軽減させるために考案したストリングスの張り方である。また、ボールを強打した時に生じるストリングスの弦の不規則なズレ、そのズレによってできる隙き間をできる限り発生させないために考案したストリングスの張り方である。
【０００２】
【従来の技術】
従来のストリングスの張り方は、ストリングスが水平垂直方向に互いに交点で接する張り方である。ラケットフレームのストリングスの通し穴から通し穴へ直線に通す張り方である。
【０００３】
【発明が解決しようとする課題１】
ラケット面に加わる打球の衝撃によってストリングスに生じる振動の拡散と振動の吸収能力を強化する。打球がラケット面に接触する瞬時において、衝撃をストリングスからフレーム全体へスムーズに伝え、衝撃の振動を拡散し吸収させる機能を強化する。そして、グリップに受ける衝撃の負担をできる限り軽減する。また、グリップに加わる衝撃の振動による回転振れをできる限り抑制する。
【０００４】
【発明が解決しようとする課題２】
ラケット面のストリングスのズレや隙き間の発生を防止する。打球の衝撃によって生じるストリングスの張り目のズレ、そのズレによってできるストリングスの隙き間の発生を防止する。本発明は、この２つの課題を解決するために考案されたものである。
【０００５】
【課題を解決するための手段】
打球の衝撃力は、従来のようにストリングスを水平垂直方向に張ったものに対しては、ボールが接触する打点を中心に水平垂直方向へのストリングス部分に衝撃が集中するので、打点の位置から縦横の方向へ衝撃の負担が集中する。この偏った衝撃の負担によって、ラケットフレームへ振動が大きく伝わり、グリップを握る手と腕にラケットの回転振れが起こりやすくなる。本発明仕様の交差するストリングスを交互に絡み合わせて張ったもの２は、テニスボール１が接触する打点を中心に円状に衝撃が拡散し伝達される３ので、打点の位置からラケットフレーム全体へ衝撃力が伝達されて、ラケット全体で振動が吸収される。従って、グリップを握る手と腕に衝撃力によるラケットの回転振れの原因を軽減する。また、ストリングスが交点で交互に絡み合うように張られているので、衝撃力の負担によって生じるストリングスの張り目のズレや隙き間の発生をできる限り防止できる。
【０００６】
【発明の実施の形態】
以下、本発明の実施の形態について説明する。
ラケットフレーム４のストリングスを張り通す穴の位置と形状は従来通り。
（イ）水平垂直方向絡み合せ張り方５は、水平垂直方向に網目を構成するようにストリングスを絡み合わせて張るために、縦横方向のストリングスが交差する位置に絡み合せ誘導ピン６を配置した台座を固定する。
（ロ）誘導ピンを配列した台座の上にラケットフレームを固定する。ストリングスを固定された誘導ピンに絡み合わせて折り曲げ、水平垂直方向に網目を構成するように絡み合わせて張る。実際は図２に示す通り、ラケットフレームの斜め端部から張り始め、対角線方向の斜め端部で張り終える。固定したラケットを誘導ピン配列の台座から外す。
【０００７】
【発明の効果】
従来の張り方で生じる衝撃力の負担が、ストリングスを絡み合わせる張り方に替えることによって、、打球の衝撃力を瞬時に拡散伝達し、優れた振動吸収能力を発揮する。ラケットの正確なコントロール性能と安定感のあるパワーパフォーマンスが期待できる。
【図面の簡単な説明】
【図１】本発明仕様の交差するストリングスを交互に絡み合わせて張ったもの。黒色の太線部分で示すように、打球の衝撃力は最も強く加わる中心部からラケット面全体へ均等に拡散して伝達される。
【図２】本発明の平面図である。水平垂直方向絡み合せ張り方の手順。
【図３】本発明の平面図である。水平垂直方向絡み合せ張り方。
【図４】本発明の平面図である。菱形絡み合せ張り方。
【符号の説明】
１  テニスボール
２  本発明仕様の交差するストリングスを交互に絡み合わせて張ったもの
３  テニスボール１が接触する打点を中心に円状に衝撃が拡散し伝達される
４  ラケットフレーム
５  水平垂直方向絡み合せ張り方
６  絡み合せ誘導ピン
７  水平垂直方向絡み合せ張り方の形状
８  斜張菱形絡み合せ張り方の形状
【図１】
2004283520.tif 000003
【図２】
2004283520.tif 000004
【図３】
2004283520.tif 000005
【図４】
2004283520.tif 000006
(57)【要約】【課題】ストレス解消、リラクゼーション、精神的緊張状態の改善、精神的不安定の改善自閉症、ノイローゼの軽減のために現実にイルカセラピーを体験することは物理的、費用的にも容易ではない。【解決手段】オーディオ機器、音響機器、映像機器などにより、θ波を誘導するイルカ独特の音声、またはイルカの映像を見せる事で被験者にイルカセラピーの擬似体験をさせる。また、それらを併用したマッサージで心身の疲労を軽減させる。【選択図】  図１
2004283522.tif 000002
【特許請求の範囲】
【請求項１】
マイナスイオン発生器でマイナスイオンを満たした空間でマッサージチェアに被験者を座らせ、イルカが発する音声をスピーカー、ヘッドホン等の音響機器で被験者に聞かせながらビオテープやレーザーディスク等に録画されたイルカの映像をテレビを通して被験者に見せ、マッサージを施すことで、心身のリラクゼーションを供する。
【発明の詳細な説明】
【０００１】
【発明の属する技術分野】θ波を誘導するイルカ独特の音声、イルカの映像を用いたリラクゼーションシステム
【０００２】
【従来の技術】イルカの生息する海に潜って行う、現実のイルカセラピー以外先行する技術は文献調査の結果ありませんでした。ー
【０００３】
【発明が解決しようとする課題】
ストレス解消、リラクゼーション、精神的緊張状態の改善、精神的不安定の改善自閉症、ノイローゼの軽減のために現実のイルカセラピーを体験することは物理的、費用的にも容易ではなかった。本発明は誰でも少ない費用で容易にイルカセラピーの効果を得ることを目的とするものである。
【０００４】
【課題を解決するための手段】オーディオ機器、音響機器、映像機器などにより、イルカの発する声、またはイルカの映像を被験者に見せる事でイルカセラピーの擬似体験をさせながらマッサージを施し、心身の疲労、ストレスを軽減させる。
【０００５】
【発明の実施の形態】
本発明の実施の形態は図１〜図２に基づいて、説明する。
【０００６】
図１においては音響機器、映像機器、マイナスイオン発生装置、マッサージチェアを設置した店舗で、被験者にイルカの音声、映像を見聞きさせながら被験者の身体にマッサージ等を施す。
【０００７】
図２においては被験者の自宅等に出張した場合の形態を示す。携帯式の音響機器を被験者の自宅に持ち込み、イルカの音声を聞かせながら、被験者の身体にマッサージを施す。
【０００８】
【発明の効果】
θ波を誘導するイルカの発する音声、波の音、海中の音、またはそれらの映像を見ることで、実際に海にもぐらなくても、あたかも実際にイルカセラピーを体験したようにイメージさせ、リラクゼーション効果、ストレス解消、心身の疲労を軽減させる効果がある。
【図面の簡単な説明】
【図１】「店舗での実施の形態を示した平面図である。」
【図２】「被験者の自宅へ出張した場合の実施の形態をしめした平面図である。」
【符号の説明】
１マイナスイオン発生装置
２マッサージチェア
３音響機器、スピーカー
４映像機器、テレビ
５被験者
６携帯式音響機器
７マッサージ師
８被験者
【図１】
2004283522.tif 000003
【図２】
2004283522.tif 000004
(57)【要約】【課題】腹筋を使い続けることにより、身体の基礎代謝能力を活性化させ、ダイエット効果および痩身効果が得られるダイエットベルトを提供する。【解決手段】磁石等の磁力による接続、フックやスナップ等の機械的な接続および面ファスナーによる接続方法を用いることにより、力を加えると簡単に外れ、何度でも再利用できる留め具を両端に有し、長さを自由に調節できる、磁気を帯びていてもいなくても良いひも状、ベルト状およびバンド状の補助具（以下、ダイエットベルト）。このダイエットベルトを腹部に少しきつめに装着して、腹筋の力を緩めるとすぐに外れるようにウエストに装着し、ダイエットベルトが外れないように使用し続ける事により、身体の基礎代謝能力を活性化させ、適正な体重を維持することができるようになる。【選択図】図３
2004283528.tif 000002
【特許請求の範囲】
【請求項１】
腹筋の力を抜くと外れる程度の強さになるよう自由に一定の長さに調節してウエストに装着することができ、一度外れても繰り返し用いる事ができる、磁気を帯びていてもいなくても良いひも状、バンド状、ベルト状またはチェーン状のダイエットおよび痩身補助具。
【請求項２】
ダイエットおよび痩身のための請求項１の補助具の使用。
【発明の詳細な説明】
【００１】
【発明の属する技術分野】本発明は、ダイエット用具および痩身用具に関するものである。
【００２】
【従来の技術】これまでに、腹筋を使ったダイエットを行うための補助具として、新聞紙をセロハンテープ等で止めて、破れないように注意をするというものがあったが、この場合は、一度破れてしまうとまた新しい紙を用意してセロハンテープで止めなくてはいけないため、非常に面倒であった。また、ベルト状のダイエット器具として、特開平１１−８９８６３、特開平１１−２９０３６２、特開２０００−２２６７１１などがあるが、いずれも締め続けることによりダイエットおよび痩身効果を期待するものであり、本発明のように腹筋を使用し続けて補助具が外れないように注意し、基礎代謝能力を活性化させることにより、ダイエットおよび痩身効果を期待するためのものではない。
【００３】
【発明が解決しようとする課題】ダイエットを行い、適正な体重を維持することは、健康的な生活を続けるために非常に重要であるが、恒常的に必要以上のカロリーを摂取し、体をあまり動かさない生活をしている現代人にとって、適正な体重を維持し続けることは困難である場合がある。通常、身体の基礎代謝能力を活性化させてダイエットを行う方法としては、全身運動のジョギングや水泳、腹筋等一部の筋肉を用いる、腹筋運動やストレッチ体操等を継続的に行う方法が考えられるが、いずれもその行為を行うための時間を設けなけばいけないため、継続することが難しい場合が多く問題であった。
【００４】
【課題を解決するための手段】この問題を解決するために、日常生活で時間にとらわれることなくいつでも腹筋を使用し続けることができる補助具を発明するに至った。この補助具が外れないように注意して使用し続け、身体の基礎代謝能力を活性化させることにより、ダイエットおよび痩身効果を期待することができる。
【００５】
【発明の実施の形態】すなわち本発明は、磁石等の磁力による接続、フックやスナップ等の機械的な接続、または面ファスナーによる接続方法を用いることにより、力を加えると簡単に外れ、何度でも再利用できる留め具を両端に有し、長さを自由に調節できる、磁気を帯びていてもいなくても良いひも状、バンド状、ベルト状またはチェーン状の補助具（以下、ダイエットベルト）である。
【００６】このダイエットベルトが外れないように注意して使用し続け、身体の基礎代謝能力を活性化させることにより、ダイエットおよび痩身効果を期待することができる。
【００７】次に本発明における具体的実施例を説明する。ただし、以下の実施例は発明の一例を示すもので、本発明を制限するものではない。
【実施例１】図１、図２および図３を参照して説明する。図１は本発明の平面図である。図２は図１の接続部分である付番４と、それを付番５、付番６に置き換えることができることを例示した平面図である。図３は、本発明をウエストの部分に装着した説明図である。
【００８】付番３の様に長さを自由に調節して固定できる部分を１つ以上有した磁気を帯びていてもいなくても良いひも状、バンド状、ベルト状またはチェーン状の付番１に、付番４のような一定以上の力を加えると外れる接続部分を両端に取り付けて、図３の様にウエストの部分に装着して使用する。このとき、ずり落ち防止用ための付番２を用いて付番４が外れたときにウエストから落ちてしまうのを防ぐことができる。付番４は、磁力を利用して一定以上の力を加えると外れる接続部分であるが、図２の付番４のかわりに図２の付番５のフックやスナップ等で機械的に接続するタイプ、図２の付番６の面ファスナーで接続するタイプを用いることができる。
【実施例２】図４を参照して説明する。
【００９】固定できる組み合わせの面ファスナーを面ファスナーＡおよび面ファスナーＢ（以下Ａ、Ｂとする）とする。末端の斜線部分にＢを有し、その部分を付番８のリングに通して折り返して長さを自由に調節し留めることができる、斜線部分以外の一部または全部がＡで構成されたベルト状の付番７と、付番８のリングと接続されていて、Ｂを有する付番９を一定以上の力を加えると外れるように留めて、実施例１の図３と同様にウエストの部分に装着して使用する。このとき、実施例１の付番２に対応するずり落ち防止用のひも状、バンド状、ベルト状またはチェーン状のものをつけることにより、付番７と付番９が外れたときに腰から落ちてしまうのを防ぐことができる。
【０１０】
【発明の効果】この補助具が外れないように注意して使用し続け、身体の基礎代謝能力を活性化させることにより、ダイエットおよび痩身効果を期待することができる。
【０１１】
【図面の簡単な説明】
【図１】本発明の説明図である。
【図２】
【図１】付番４の接続分の例の説明図である。
【図３】本発明をウエストの部分に装着した説明図である。
【図４】面ファスナーを用いる場合の本発明の説明図である。
【符号の説明】
１  磁気を帯びていてもいなくても良いひも状、バンド状、ベルト状またはチェーン状のもの。
２  ずり落ち防止用のひも状、バンド状、ベルト状またはチェーン状のもの。
３  自由に長さを調節する部分。
４  一定以上の力を加えると外れる接続部分。磁石等で磁力により接続するタイプ。
５  一定以上の力を加えると外れる接続部分。フックやスナップ等で機械的に接続するタイプ。
６  一定以上の力を加えると外れる接続部分。面ファスナーで接続するタイプ。
７  一部または全部が面ファスナーで構成されたベルト。
８  リング。
９  付番７を留める部分。
【図１】
2004283528.tif 000003
【図２】
2004283528.tif 000004
【図３】
2004283528.tif 000005
【図４】
2004283528.tif 000006
(57)【要約】【課題】洗濯物の仕分け作業をなくし、ネットに入れる手間を省き、片寄りや絡みをなくす。【解決手段】ネットを２，３つくり、ネットを動かないようにする枠をはめこむ。【選択図】    図３
2004283527.tif 000002
【特許請求の範囲】
【請求項１】
脱水槽の回転の中心から２分割、又は３分割するようにネットを取り付け、枠でうごかないように設置し、大物洗いのときは取り外せる方法。
【発明の詳細な説明】
【０００１】
【発明の属する技術分野】
本発明は、洗濯ネットを脱水槽に取り付け、動かない様に枠を取り付ける。
【０００２】
【従来の技術】
従来、必要に応じて、大小様々の洗濯ネットにいれて使用していたが、チャックや、出し入れに手間取っていた。また、洗濯物のかたよりや、絡みも激しかった。
【０００３】
【発明の実施の形態】
本発明は、洗濯物を洗濯機に入れるだけで、ネットに入り洗濯物を守り、又、片寄りや、絡みをなくす。
【０００４】
図面で説明すれば、図１のようにネットのような素材で、脱水槽の中心から、２分割、又は、３分割した形のふたなしの箱状のものを、作る。１は洗濯物の投入口になる。３はあとから、はめる枠に止めるための部品も作っておく。
【０００５】
図２は、図１を円柱形にまとめ、底でつないだ図で、それを脱水槽に装着したのが、図３である。
【０００６】
脱水槽の口に、はめ込む円形の枠５を作り、分割した数の枚数ぶん、粗い網目のパネルを作りつなぎ合わせる。脱水槽との接触面６、７になる部分は脱水槽内側にも溝をつけて、外れないようにする。図４の枠を図３のネットを装着済みの脱水槽にはめ込むと図５のようになる。３を４の中心に装着する。
【０００７】
【発明の効果】
このようにすれば、今まで洗濯ものを仕分け選別後、ネットが必要なものを大小のネットに入れて洗濯していたが、仕分けする必要なく、また片寄りや絡みもなくなる。取り外し可能な装置なので、今までどおり大物も洗濯できる。
【図面の簡単な説明】
【図１】分割したネットの１つ
【図２】分割したネットを円柱形にまとめ底でつないだ図である。
【図３】脱水槽に図２の円柱形ネットを装着した図である。
【図４】ネットを動かないようにする枠の図である。
【図５】ネットと枠を装着した洗濯機の縦断面の図である。
【符号の説明】
１    洗濯物入り口
２    脱水槽口に引っ掛けるネットの端
３    枠の中心にとめる装置
４    枠の中心の最上部で３を止めるところ
５    脱水槽の口に装着する枠
６    パネルの脱水槽に接触する部分
７    枠の中心の最下部
【図１】
2004283527.tif 000003
【図２】
2004283527.tif 000004
【図３】
2004283527.tif 000005
【図４】
2004283527.tif 000006
【図５】
2004283527.tif 000007
(57)【要約】【課題】通常のぶら下り健康器では、手の握力で全体重を支えるため、長くぶら下がり続けることができず、又、腰を牽引するための体重は下半身に限られるため、労力の割に期待できる効果が少ない。また、倒立式ぶら下り健康器の場合でも、腰痛の治療が目的の一つであるのにもかかわらず、装着が面倒だったり、体全体を伸ばしきるために、ある程度の体力や運動能力が無いと使えない。【解決手段】低い位置で、しかも水平状態にして足を支持具にかけるだけで装着出来、つるべ井戸の方式で、倒立するための回転運動を利用して体全体を持ち上げられる。支点となる滑車の高さを変えて倒立の角度を自由に選べるので、使う人の体力や健康状態に合わせて利用出来る。【選択図】図１
2004283525.tif 000002
【特許請求の範囲】
【請求項１】
体力や運動能力の少ない人でも、楽に倒立してぶらさがることができる様に、比較的低い位置で水平に横臥した状態で体を固定してから、倒立するための回転力を利用して、つるべ井戸の方式で体とベッドを吊り上げる。倒立するための回転力をベッドの吊り上げに利用するため、回転する動きが緩やかになり、倒立するための急激な回転が抑制され、無理の無い動作で倒立することができる。
【請求項２】
請求項１のベッドを吊り上げるロープ（ワイヤーなど）は、滑車によって上方から支えられ、滑車は横にわたしたバーに固定して、縦方向の支柱に対して上下にスライドさせて位置を変更できる様にすることで、高さ調節をすることができる。この様に、床から滑車までの高さを変えることで、倒立する角度を調節することが出来る。
安全上からロープと支柱（或いはベッド）の間は、人の手が挟まれない様に、十分な間隔（少なくとも５ｃｍ以上）を持たせる必要がある。
【請求項３】
ベッドの回転を支える横のバーは、上下に動くようにスライドで支柱に取り付け、その同じスライドにベッドを水平に支えるための支持金具を取り付けることで、高さ位置に関係なくベッドを水平に保つことができる。そのため、ベッドに腰掛けた安定した体勢で、しかも膝と足首を支持具に直接掛けるだけで体を支えられるので、面倒な器具の装着や、倒立するために人の介助を必要としない。
【請求項４】
倒立した状態から横臥した水平状態に戻すには、錘を利用してベッドの重心を移動して、梃子の原理で無理なく水平状態に復元することができる。万が一必要な時には、手すりを持って体重を支え、直接足首を支持具からはずして脱出することもできる。
【請求項５】
単に倒立してぶらさがるだけで無く、膝を曲げた状態での倒立なので、腰に無理の無い姿勢で倒立腹筋運動ができる。
【発明の詳細な説明】
【０００１】
【産業上の利用分野】
特に体力や運動能力を必要とせずに、膝と足首で体重を支えたまま容易に倒立できるので、腰痛治療のために誰でも安心して使用できる。
また、逆立ち状態で腹筋運動ができれば、たるんだ下腹部を、より効果的に引き締めることができる。
【０００２】
【従来の技術】
足首にぶら下るための器具を取り付けて、体全体を真っ直ぐにのばして逆立ちする商品は、既に市販されているが、体力や運動能力のある人でなければ使い難く、また、いくつかの逆立ち式ぶら下り健康器の特許申請も出されているが、いずれもぶら下るために体力を必要とすることに変わりはない（例えば、特許文献１参照。）。
【０００３】
【特許文献１】
特許公開平１０−０９４５６７
【０００４】
【発明が解決するための課題】
通常のぶら下り健康器では、手の握力で全体重を支えるため、長くぶら下がり続けることができず、又、腰を牽引するための体重は下半身に限られるため、労力の割に期待できる効果が少ない。
また、倒立式ぶら下り健康器の場合でも、腰痛の治療が目的の一つであるのにもかかわらず、装着が面倒だったり、体全体を伸ばしきるために、ある程度の体力や運動能力が無いと使えない。
【０００５】
【発明が解決するための手段】
低い位置で、しかも水平状態にして足を支持具にかけるだけで装着出来、つるべ井戸の方式で、倒立するための回転運動を利用して体全体を持ち上げられる。支点となる滑車の高さを変えて倒立の角度を自由に選べるので、使う人の体力や健康状態に合わせて利用出来る。
【０００６】
【実施例】
図１に、器具を装着するためにベッドを水平状態にした時の、斜視図を示す。
図２に、ベッドを（Ａ）９０度、（Ｂ）４５度に倒立した状態での横方向概念図を示す。
【図面の簡単な説明】
【図１】斜視図…ベッドを横にした状態。
【図２】横方向概念図…ベッドを（Ａ）９０度、或いは、（Ｂ）４５度に倒立した状態で、破線は、（Ａ）（Ｂ）各々の角度での人の横臥状態を表し、上下位置はロープを支える滑車の位置で調整する。
【符号の説明】
（１）縦方向の支柱
（２）ベッドを吊り上げるためのロープをかける滑車
（３）体を支えるベッド
（４）足首を掛ける支持具とスポンジ（緩衝材）
（５）膝を掛ける支持具とスポンジ（緩衝材）
（６）ベッドを水平に支持するための支持金具
（７）ロープ（ワイヤー）
（８）倒立から水平状態に戻る時の復元用の錘と紐
【図１】
2004283525.tif 000003
【図２】
2004283525.tif 000004
(57)【要約】【課題】  要介護者にも段階があり、重度と軽度だけではなく中程度の人も存在し、全てに使えるパンツ式オムツを提供する。【解決手段】    パンツの袋体（１）の前部分にマジックテープ凹（２）を付け、後部のサイド側面に後部羽根（３）を付け、その羽根の部分にマジックテープ凸（４）がありパンツ型（図２）からオムツ型（図１）にする時サイドの圧縮（５）をやぶる。オムツ型（図１）に広げた内面に前側羽根（６）を付け、底に水分吸収シート（７）にする事で軽度の歩ける方から重度の寝たきりの方まで要介護者の誰でもが使えるような、パンツ式オムツにした。【選択図】  図１
2004283600.tif 000002
【特許請求の範囲】
【請求項１】
パンツの袋体（１）の前部分にマジックテープ凹（２）を付け、後部分のサイド側面に後部羽根（３）を付け、その羽根の部分にマジックテープ凸（４）が有り、パンツ型（図１）からオムツ型（図２）にするときサイドの圧縮（５）をやぶる。その内面に前側羽根（６）を付け、底に水分吸収シート（７）を退いた物
【発明の詳細な説明】
【技術分野】
【０００１】  この発明は介護用パンツに介護用オムツの機能も備えた介護用パンツ型オムツに関するものである。
【背景技術】
【０００２】  従来、介護用パンツとオムツは、別々に有り、大きさも個々にあった。
【発明の開示】
【発明が解決しようとする課題】
【０００３】  これは、次のような欠点があった。
（イ）  介護する人はパンツの場合、両足を上げてもらわなければならなく、介護者の負担が増える。
（ロ）  介護する人は、要介護者に合わせてパンツかオムツを考えて買わなければ、ならない。
（ハ）  要介護者にも段階があり、重度と軽度だけで無く中程度の人も存在し、それに合わせたパンツ式オムツを作るのが目的である。
【課題を解決する課題】
【０００４】  要介護者で少しでも立てる人は、パンツ式オムツにする事でリハビリにもなり、尚且つパンツに片足だけでも足を入れてもらえると介護する人にも負担が少なくなり、軽度の歩ける方から、重度の寝たきりの方まで要介護者の誰でもが使えるような、パンツ式オムツにした。
【発明の効果】
【０００５】  本発明を使用する事によって介護をする人には、解かりやすくなりそれに介護をうける人によって立てたり、寝たきりだったり症状は様々で、少しだけでも足を上げられたりする人には、パンツ式オムツにする事によりパンツに片足だけでも足を入れてもらえれば反対側の腰の圧縮部分を開いてマジックテープで止める事も出来、それによって介護を受ける人のリハビリにもなり介護する人の負担も軽減できる。
【発明を実施するための最良の形態】
【０００６】  以下、本発明の実施の形態について説明する。
パンツの袋体（１）の前部分にマジックテープ凹（２）を付け、後部のサイド側面に後部羽根（３）を付け、その羽根の部分にマジックテープ凸（４）がありパンツ型（図２）からオムツ型（図１）にする時サイドの圧縮（５）をやぶる。オムツ型（図２）に広げた内面に前側羽根（６）を付け、底に水分吸収シート（７）を退く。
本発明は、以上のような構造ですから、体を動かせる要介護者はパンツで、体を動かしにくい要介護者はオムツにして使う事により、両者とも使えるのでサイズさえ解かれば良くなります。
【図面の簡単な説明】
【０００７】
【図１】    本発明のオムツ型
【図２】    本発明のパンツ型
【符号の説明】
【０００８】１  パンツの袋体  ２  マジックテープ凹  ３  後部羽根  ４  マジックテープ凸  ５  サイドの圧縮  ６  前側羽根  ７  水分吸収シート
【図１】
2004283600.tif 000003
【図２】
2004283600.tif 000004
(57)【要約】【課題】  従来のマクラカバーだと汗、涙、涎などの水分はマクラまで染み込み衛生面にも悪い。マクラに固定出来、マクラまで水分が染み込みにくい、マクラカバーシートを作るのが目的である。【解決手段】  伸縮ネット（１）に水分吸収シート（２）を付け、マクラに付着する汚れをふせぐ事が出来るようにした。【選択図】  図１
2004283599.tif 000002
【特許請求の範囲】
【請求項１】
伸縮ネットに水分吸収シート等を付けたマクラカバーシート。
【発明の詳細な説明】
【技術分野】
【０００１】  この発明は伸縮ネットに水分吸収シート等を付けたマクラカバーシートに関するものである。
【背景技術】
【０００２】  従来、マクラカバーは布製の物ばかりだった。
【発明の開示】
【発明が解決しようとする課題】
【０００３】  これは次のような問題点があった。
従来のマクラカバーは布製で薄く、マクラに汗、涙、涎が染み込みマクラ自体が不衛生になっている事が多くあった。
【課題を解決するための手段】
【０００４】  伸縮ネットに水分吸収シートを付ける事によりマクラに固定出来、ズレずに汗、涙、涎を吸収出来る。
以上の構成よりなるマクラカバーシートである。
【発明の効果】
【０００５】  マクラカバーシートを使用する事によって衛生面を目でもみる事が出来、マクラに水分等が染み込むのを防ぎ、マクラ自体が不衛生になることが無くなる効果もうまれた。
それと来客の時、その人専用のマクラカバーにもなり、来客者は涎などをマクラに付けてもよくなり熟睡できる効果もある。
それと車などで仮眠を取りたい時マクラが無いので、タオル、上着などがあれば中に入れマクラ代わりになり、中の物を汚す事も無い。
【発明を実施するための最良の形態】
【０００６】  以下、本発明の実施例について説明する。
伸縮ネット（１）に水分吸収シート等（２）を付ける。
それに柄などが付くと、なお良い。
【図１】
2004283599.tif 000003
【手続補正書】
【提出日】平成16年5月10日(2004.5.10)
【手続補正２】
【補正対象書類名】明細書
【補正対象項目名】全文
【補正方法】変更
【補正の内容】
【発明の詳細な説明】
【技術分野】
【０００１】  この発明は伸縮ネットに水分吸収シート等を付けたマクラカバーシートに関するものである。
【背景技術】
【０００２】  従来、マクラカバーは布製の物ばかりだった。
【発明の開示】
【発明が解決しようとする課題】
【０００３】  これは次のような問題点があった。
従来のマクラカバーは布製で薄く、マクラに汗、涙、涎が染み込みマクラ自体が不衛生になっている事が多くあった。
【課題を解決するための手段】
【０００４】  伸縮ネットに水分吸収シートを付ける事によりマクラに固定出来、ズレずに汗、涙、涎を吸収出来る。
以上の構成よりなるマクラカバーシートである。
【発明の効果】
【０００５】  マクラカバーシートを使用する事によって衛生面を目でもみる事が出来、マクラに水分等が染み込むのを防ぎ、マクラ自体が不衛生になることが無くなる効果もうまれた。
それと来客の時、その人専用のマクラカバーにもなり、来客者は涎などをマクラに付けてもよくなり熟睡できる効果もある。
それと車などで仮眠を取りたい時マクラが無いので、タオル、上着などがあれば中に入れマクラ代わりになり、中の物を汚す事も無い。
【発明を実施するための最良の形態】
【０００６】  以下、本発明の実施例について説明する。
伸縮ネット（１）に水分吸収シート等（２）を付ける。
それに柄などが付くと、なお良い。
【図面の簡単な説明】
【０００７】
【図１】本発明の全体図
【符号の説明】
【０００８】  １  伸縮ネット
２  水分吸収シート等
(57)【要約】【課題】内刃（２）がひげの断片や油脂汚れ等による目詰まりを起こしにくく、従来よりも清潔を維持し易いひげ剃り機を提供する。【解決手段】内刃（２）の表面に酸化チタン（ＴｉＯ２）および銅（Ｃｕ）を含む組成にて光触媒層（５）を設け、内刃（２）に紫外線もしくは可視光線を含む光を照射する手段（１）を、発光ダイオードを用いて設け、内刃（２）を支持する支持体（４）に光透過性の材料を用いたことを特徴とする。【選択図】図１
2004283542.tif 000002
【特許請求の範囲】
【請求項１】
外刃（３）と、これに摺接する内刃（２）を有するひげ剃り機において内刃（２）の表面に光触媒層（５）を設け、内刃（２）に紫外線もしくは可視光線を含む光を照射する手段（１）を、外刃（３）によって光が遮られない位置に設けたことを特徴とするひげ剃り機。
【請求項２】
前記光触媒層（５）は酸化チタン（ＴｉＯ２）を含む組成にて構成することを特徴とする請求項１記載のひげ剃り機。
【請求項３】
前記の光を照射する手段（１）の光源に、発光ダイオードを用いたことを特徴とする請求項１記載のひげ剃り機。
【請求項４】
前記光触媒層（５）の表面に銅（Ｃｕ）を付着もしくは含有させたことを特徴とする請求項１記載のひげ剃り機。
【請求項５】
内刃（２）を支持する支持体（４）に、光を透過する材料を用いたことを特徴とする請求項１記載のひげ剃り機。
【発明の詳細な説明】
【０００１】
【発明の属する技術分野】
本発明は、光触媒層を付加した内刃と、これに光を照射する発光ダイオードを備えることによって、内刃が目詰まりし難くし、尚且つ殺菌機能を付加したひげ剃り機に関するものである。
【０００２】
【従来の技術】
従来、ひげ剃り機は何度か使用すると、肌から剥がれた油脂成分等により、ひげの断片が内刃に付着し、これによって目詰まりするため外刃を取り外してクリーニング出来る構造になっている。
【０００３】
【発明が解決しようとする課題】
これには、次のような欠点があった。
目詰まりを防ぎ、高い性能と清潔さを維持するためには、頻繁にクリーニングをする必要があった。
本発明は、この欠点を失くすためになされたものである。
【０００４】
【課題を解決するための手段】
内刃（２）の表面に酸化チタンおよび銅を含む組成にて光触媒層（５）を設け、内刃（２）に紫外線もしくは可視光線を含む光を照射する手段（１）を発光ダイオードを用いて設け、内刃（２）を支持する支持体（４）に光透過性の材料を用いる。
本発明は以上の構成よりなるひげ剃り機である。
【０００５】
【発明の実施の形態】
以下、本発明の実施の形態について説明する。
外刃（３）と、これに摺接する内刃（２）によってひげを剃る構造を持つひげ剃り機において、内刃（２）の表面に光触媒層（５）を設ける。
光触媒層（５）は刃の片面のみではなく図４に示すように全ての内刃（２）において両面に備えるのが望ましい。
また、光触媒層（５）は、その組成として酸化チタン（ＴｉＯ２）を含むものとし、内刃（２）の表面に固定化する。
この層は厚さ数μｍ程度とし、そのコーティング手段としては、酸化チタンを含む溶液を内刃（２）に塗装の上、８００℃程度の高温により焼付け、固定化する等がある。
酸化チタン等の光触媒は特に紫外線域の波長の光を受けることによって油脂汚れの酸化分解作用と、その親水性による汚れの洗い流し効果、いわゆるセルフクリーニング効果があるため、紫外線を照射することで、内刃（２）への汚れの付着を防ぐことが可能となる。
また、水洗いが可能なひげ剃り機や、湿式ひげ剃り機であれば、高い汚れ洗い流し効果が得られる。
更に、光触媒層（５）の少なくとも表面に銅（Ｃｕ）を付着もしくは含有させる。
手段としては、光触媒層（５）成形後、この表面に銅イオンを含んだ水を付け、紫外線を照射することで還元反応を起こし、銅を固定化する等がある。これによって、銅イオンによる殺菌作用を備えることが出来、内刃（２）の表面を清潔に保つことが出来る。
【０００６】
ところで、通常、内刃（２）は外刃（３）によって外光が遮られ、外光を受けることができない構造となっているため、光触媒層（５）を備えるだけでは先述のようなセルフクリーニング効果を得ることが出来ない。
このため、内刃（２）に紫外線あるいは可視光線を含む光を照射する手段（１）を、外刃（３）に光が遮られない位置に備える。
この光を照射する手段（１）の光源には紫色（紫外線）発光ダイオードを用いる。
これは、低電圧の直流電流で駆動できるため、漏電による感電の恐れを減らすことが出来ることと、消費電力が少ないため、ひげ剃り機の電池駆動に都合が良いためである。
光を照射する手段（１）を設置する数は、内刃（２）の枚数やレイアウト、動き方に応じて、１個もしくは複数用いる。
光を照射する手段（１）を設置する位置は、内刃（２）が図１のような往復刃式や図２のようなロータリー刃では、横に長い形状であるため  内刃（２）の形状に沿って複数並べるのが望ましい。
また、外刃（３）内部に侵入した汚れがこの光を照射する手段に付着したり積もったりすることを防ぐため、発光部を周囲面よりも出っ張らせた形状にする、発光面に凸凹形状を設ける、あるいは内刃（２）の下面ではなく側面から照射する構造とする等の対策を施す。
回転刃式の場合は、回転軸方向に内刃（２）の下面から照射する方法の他、図３のように回転する内刃（２）に対して内側に光を照射する手段（１）を備えることによって、遠心力により外側に飛散する汚れが付着することを防ぐという方法が採れる。
【０００７】
光を照射する手段（１）は、内刃（２）が作動している時に点灯させた場合光触媒によるセルフクリーニング効果に加えて内刃（２）の振動もしくは回転による遠心力によって、ひげの断片を振り落とす効果が加わり、相乗効果によって効率よく内刃（２）への汚れの付着を防ぐことができる。また、比較的強い紫外線が外刃（３）の外に漏れてしまう構造の場合は充電時等の非使用時に定期的に光を照射する手段（１）を点灯させるか、もしくはひげ剃り機のクリーニング作業時にのみ、光を照射する手段（１）を点灯させることで、紫外線によって肌を痛める危険を避けることが出来る。
【０００８】
内刃（２）を支持する支持体（４）には、光を透過する材料を用いる。
これは光を照射する手段（１）からの光を支持体（４）が遮ってしまうことを防ぐことと、汚れが付着し易い内刃（２）の固定根元周辺まで光を届けるためである。
従って、主に紫外線を内刃（２）に照射する場合には、支持体（４）の材料を単に透明色のものにするだけでなく、紫外線の透過性が比較的良い材料を選ぶことが望ましい。
【０００９】
【発明の効果】
本発明により、内刃（２）がひげの断片や油脂汚れ等による目詰まりを起こしにくく、従来よりも清潔を維持し易いひげ剃り機を提供することが可能となった。
【図面の簡単な説明】
【図１】本発明の断面図（往復刃式ひげ剃り機の場合）
【図２】本発明の断面図（ロータリー刃式ひげ剃り機の場合）
【図３】本発明の断面図（回転刃式ひげ剃り機の場合）
【図４】刃の拡大図
【符号の説明】
（１）  光を照射する手段
（２）  内刃
（３）  外刃
（４）  支持体
（５）  光触媒層
【図１】
2004283542.tif 000003
【図２】
2004283542.tif 000004
【図３】
2004283542.tif 000005
【図４】
2004283542.tif 000006
(57)【要約】【課題】台車内の限られたスペースを有効利用する車両用たわみ板継手近傍に備えたブレーキディスク装置を提供することにある。【解決手段】車両の台車内に据え付けられている主電動機と歯車装置との間にたわみ板継手と一体化したブレーキディスク装置を設け、該ブレーキディスク装置をアクチュエータ又はバネ又は空気を動力源とした機械ブレーキ装置によって車輪の回転を停止させるよう構成したもので、ブレーキディスク装置を主電動機の軸又は歯車装置の軸に備えた車両用たわみ板継手近傍に備えたブレーキディスク装置である。【選択図】　　　図１
2004090720.tif 000002
【特許請求の範囲】
【請求項１】
車両用ブレーキディスク装置において、車両の台車内に据え付けられている主電動機と歯車装置との間にたわみ板継手と一体化したブレーキディスク装置を設け、該ブレーキディスク装置をアクチュエータ又はバネ又は空気を動力源としたことを特徴とする車両用たわみ板継手に備えたブレーキディスク装置。
【請求項２】
前記ブレーキディスク装置を主電動機の軸又は歯車装置の軸に備えた請求項１記載の車両用たわみ板継手に備えたブレーキディスク装置。
【発明の詳細な説明】
【０００１】
【発明の属する技術分野】
本発明は、車両用たわみ板継手に備えたブレーキディスク装置に関するものである。
【０００２】
【従来の技術】
一般に、機械ブレーキ装置は、車両台車部の主電動機と車輪の間に設置されており、台車内のスペースを使用している。
この状態を図３（ａ）、（ｂ）により説明する。
図３（ａ）、（ｂ）はその従来の一例を示す説明図であり、図（ａ）はその平面図、（ｂ）は側面図であり、１は主電動機、２はたわみ板継手、３は歯車装置、４は台車、５は機械ブレーキ装置、６は車輪、７はブレーキディスクである。
図３（ａ）、（ｂ）において、走行中の電車にブレーキをかける場合は、機械ブレーキ装置５を作動させ、車輪６に取り付けられているブレーキディスク７を押えつけることにより電車の速度を減速し、やがて停止させるものである。
【０００３】
【発明が解決しようとする課題】
しかしながら、このような手段では、次のような課題があった。
台車内の限られたスペースに機械ブレーキ装置が存在するため、車両用主電動機の容量増加には限界がある。
これを解消するためには、機械ブレーキ装置およびブレーキディスクを他の場所に移設する必要がある。
本発明は、上述した点に鑑みて創案されたもので、その目的とするところは、これらの課題を解消し、台車内の限られたスペースを有効利用するための手段として、車両用たわみ板継手近傍に備えたブレーキディスク装置を提供することにある。
【０００４】
【課題を解決するための手段】
つまり、その目的を達成するための手段は、
１．請求項１において、
車両用ブレーキディスク装置に係わり、車両の台車内に据え付けられている主電動機と歯車装置との間にたわみ板継手と一体化したブレーキディスク装置を設け、該ブレーキディスク装置をアクチュエータ又はバネ又は空気を動力源とした機械ブレーキ装置によって車輪の回転を停止させるよう構成したこと特徴とする車両用たわみ板継手近傍に備えたブレーキディスク装置である。
【０００５】
２．請求項２において、
前記ブレーキディスク装置を主電動機の軸又は歯車装置の軸に備えた請求項１記載の車両用たわみ板継手近傍に備えたブレーキディスク装置である。
【０００６】
すなわち、車両台車部の主電動機と車輪の間に据え付けられている機械ブレーキ装置を、主電動機外周部等の他の場所にブレーキディスクをたわみ板継手にそなえるよう構成したものである。
ブレーキディスクにはたわみ板継手に取り付けるための穴が設けてあり、ブレーキディスクはボルトなどでたわみ板継手と一体とし、主電動機軸と共に回転する。
以下、本発明の一実施例を図面に基づいて詳述する。
【０００７】
【発明の実施の形態】
図１は本発明の一実施例を示す説明図、図２はディスクブレーキ装置を取り付けた一実施例を示す説明図である。
なお、図３と同符号のものは、同じ機能を有する部分である。
図１において、車両の台車４内に据え付けられている主電動機１と歯車装置３との間にたわみ板継手２と一体化したブレーキディスク装置７が２組み設けられている。
このブレーキディスク装置７は、アクチュエータ又はバネ又は空気を動力源とした機械ブレーキ装置５によって車輪６の回転を停止させるよう構成されている。
【０００８】
また、請求項２に示しているように、図１においては主電動機１側のたわみ板継手２にブレーキディスク装置７を設けているが、これに限らず、歯車装置３の軸に備える場合もある。
【０００９】
次ぎに、そのブレーキディスク装置７の取着状態を図２に基づいて説明する。
図２において、たわみ板継手２は、中間継手２ａの両側に備えられているたわみ板２ｂと、主電動機の軸１ａに嵌着されたブレーキディスク装置取り付け金具２ｄ及び歯車装置取り付け金具２ｅを締鋲材２ｃによって締結して一体化したものから構成されている。
そして、ブレーキディスク装置取り付け金具２ｄには円板上のブレーキディスク装置７がボルト締結されている。
かくのごとくして構成したブレーキディスク装置７は、主電動機１の軸１ａに取着された状態となっているので、撓む心配は全くなく、図１に示す機械ブレーキ装置５によって、ブレーキを掛けることができる。
なお、前述したように、歯車装置の軸３ａに嵌着されている歯車装置取り付け金具２ｅをブレーキディスク装置７が取り付けられるように、ブレーキディスク装置取り付け金具２ｄに換える場合もある。
【００１０】
また、機械ブレーキ装置５は、図３に示すように、これまで主電動機車輪間に備えられていたものを排除することができ、台車内の限られたスペースは主電動機の大容量化のために活用することができる。
【００１１】
【発明の効果】
以上説明したように本発明によれば、台車に取り付いていた機械ブレーキ装置を主電動機と車輪の間から排除することができ、台車内の限られたスペースに従来と比較して大容量の主電動機を収めることができ、実用上極めて有用性の高いものである。
【図面の簡単な説明】
【図１】本発明の一実施例を示す説明図である。
【図２】ディスクブレーキ装置の取り付け状態詳細図である。
【図３】従来の一例を示す説明図である。
【符号の説明】
１　　主電動機
１ａ　軸
２　　たわみ板継手
２ａ　カップリング
２ｂ　たわみ板
２ｃ　締鋲材
２ｄ　ブレーキディスク装置取り付け金具
２ｅ　歯車装置取り付け金具
３　　歯車装置
３ａ　軸
４　　台車
５　　機械ブレーキ装置
６　　車輪
７　　ブレーキディスク
【図１】
2004090720.tif 000003
【図２】
2004090720.tif 000004
【図３】
2004090720.tif 000005
(57)【要約】【課題】電子メールを受信する保守員がプリンタの状態を把握する時間を短縮し、ユーザの満足度を向上する。【解決手段】電子メール送信部を搭載した印刷出力機であるプリンタにおいて、前記プリンタに電子メール送信先アドレスが登録でき、ユーザは特定のエラーコードを前記プリンタが持つエラーテーブルに登録することができ、前記エラーテーブルに登録したエラーコードが前記プリンタで発生した場合、前記送信先アドレスに対してのプリンタのステータス情報あるいはプリンタが出力するエラーコード等を自動的に電子メールで送信する。【選択図】　　　図１
2004090363.tif 000002
【特許請求の範囲】
【請求項１】
電子メール送信部を搭載した印刷出力機であるプリンタにおいて、前記プリンタに電子メール送信先アドレスが登録でき、ユーザは特定のエラーコードを前記プリンタが持つエラーテーブルに登録することができ、前記エラーテーブルに登録したエラーコードが前記プリンタで発生した場合、前記送信先アドレスに対してのプリンタのステータス情報あるいはプリンタが出力するエラーコード等を自動的に電子メールで送信する、プリンタ保守システム。
【発明の詳細な説明】
【０００１】
【発明の属する技術分野】
本発明は、特定のプリンタエラーが発生した場合に、電子メールを用いてプリンタのステータス情報あるいはプリンタが出力するエラーコード等を保守員に通知するプリンタ保守システムに関するものである。
【０００２】
【従来の技術】
従来の技術では、保守員によるプリンタのメンテナンスが必要となった場合、プリンタを使用しているユーザがプリンタの保守員と連絡を取り、プリンタのステータス情報あるいはプリンタが出力するエラーコード等をプリンタの保守員に通知してプリンタのメンテナンスを行っていた。
【０００３】
【発明が解決しようとする課題】
従来の技術では、保守員によるプリンタのメンテナンスが必要となった場合、プリンタを使用しているユーザがプリンタの保守員と連絡を取り、プリンタのステータス情報あるいはプリンタが出力するエラーコード等をプリンタの保守員に通知してプリンタのメンテナンスを行っていた。しかし、保守員はユーザから通知された情報だけではプリンタの状態を把握することが困難であり、すぐにプリンタを回復することができなかった。
【０００４】
【課題を解決するための手段】
上記課題を解決するために、本発明は、電子メール送信部を搭載した印刷出力機であるプリンタにおいて、前記プリンタに電子メール送信先アドレスが登録でき、ユーザは特定のエラーコードを前記プリンタが持つエラーテーブルに登録することができ、前記エラーテーブルに登録したエラーコードが前記プリンタで発生した場合、前記送信先アドレスに対してのプリンタのステータス情報あるいはプリンタが出力するエラーコード等を自動的に電子メールで送信することを特徴とする。
【０００５】
【発明の実施の形態】
図１を用いて、本発明を実現するための全体構成を説明する。プリンタ１００は、特定のエラーが発生した場合に通知するための電子メール送信部１５０、通知する相手を設定する通知先設定部３００、前記特定エラーを登録するエラー設定部２００で構成されている。また、前記プリンタは電子メールを送信するためにインターネット４００に接続されている。
【０００６】
次に、図２を用いて本発明の実施例を説明する。前記プリンタのユーザは、用紙補給エラー、トナーなしエラー、保守員コールエラーが発生した場合に保守員に連絡してメンテナンスを行いたい場合、プリンタのエラーテーブル７００に対して用紙補給エラー７１０、トナーなしエラー７２０、保守員コールエラー７３０を登録する。
【０００７】
次に、前記エラーが発生した場合に通知先を計算機５００および携帯端末６００に設定するために、電子メール送信先アドレステーブル８００に計算機５００の電子メールアドレス８１０、携帯端末６００の電子メールアドレス８２０を登録する。
【０００８】
ここで、前記電子メール送信先アドレスを保守員の計算機または携帯端末に設定することにより、前記プリンタで発生したエラーの中で前記プリンタのエラーテーブル７００に設定したエラーが該当する場合、保守員の計算機または携帯端末に電子メールで自動的に通知し、ユーザが保守員にプリンタの状態を連絡することなく、保守員はプリンタの状態を把握する時間を短縮することができ、ユーザの満足度を向上することができる。
【０００９】
【発明の効果】
本発明によれば、電子メールを受信する保守員がプリンタの状態を把握する時間を短縮し、ユーザの満足度を向上することができた。
【図面の簡単な説明】
【図１】本発明を実現するための全体構成図。
【図２】本発明の実施例における電子メール送信部を中心とした電子メール送信の仕組みを表す図。
【符号の説明】
１００はプリンタ、１５０は電子メール送信部、２００はエラー設定部、３００は通知先設定部、４００はインターネット、５００は計算機、６００は携帯端末、７００はエラーテーブル、７１０は用紙補給エラー、７２０はトナーなしエラー、７３０は保守員コールエラー、８００は送信先電子メールアドレステーブル、８１０は計算機５００の電子メールアドレス、８２０は携帯端末６００の電子メールアドレスである。
【図１】
2004090363.tif 000003
【図２】
2004090363.tif 000004